(57)【要約】【課題】かご形誘導電動機の回転子のロータバーをロータ鉄心のスロット内に固定するための作業時間を短くする。【解決手段】かご形誘導電動機の回転子は、回転軸と、回転軸の軸方向に垂直に広がっていて外周に互いに周方向の間隔をあけて複数のスロット１３が形成された複数の鋼板を軸方向に積層して、当該複数の鋼板の複数のスロット１３それぞれが軸方向に並ぶように、回転軸に装着した鉄心１２と、複数のスロット１３それぞれに挿入されて軸方向に延びる複数のロータバー２０と、を備える。複数のロータバー２０それぞれの軸方向の両端は軸方向に垂直な方向に分割されて広げられることによりスロット１３の軸方向端部に押し付けられて当該スロット１３に固着されている。【選択図】図１
2014128069.tif 000002
【特許請求の範囲】
【請求項１】
回転軸と、
前記回転軸の軸方向に垂直に広がっていて外周に互いに周方向の間隔をあけて複数のスロットが形成された複数の鋼板を軸方向に積層して、当該複数の鋼板の前記複数のスロットそれぞれが軸方向に並ぶように、前記回転軸に装着した鉄心と、
前記複数のスロットそれぞれに挿入されて軸方向に延びる複数のロータバーと、
を備えたかご形誘導電動機の回転子であって、
前記複数のロータバーそれぞれの軸方向の両端は軸方向に垂直な方向に分割されて広げられることにより前記スロットの軸方向端部に押し付けられて当該スロットに固着されていること、を特徴とするかご形誘導電動機の回転子。
【請求項２】
回転軸と、
前記回転軸の軸方向に垂直に広がっていて外周に互いに周方向の間隔をあけて複数のスロットが形成された複数の鋼板を軸方向に積層して、当該複数の鋼板の前記複数のスロットそれぞれが軸方向に並ぶように、前記回転軸に装着した鉄心と、
前記複数のスロットそれぞれに挿入されて軸方向に延びる複数のロータバーと、
を備えたかご形誘導電動機の回転子の製造方法であって、
前記複数のロータバーそれぞれの軸方向の両端にスリットを形成するスリット形成ステップと、
前記スリット形成ステップの後に、前記スロットそれぞれに前記複数のロータバーを挿入するロータバー挿入ステップと、
前記ロータバー挿入ステップの後に、前記スリットを広げることにより前記ロータバーを前記スロットの軸方向端部に押し付けて前記ロータバーを前記スロットに固着させる固着ステップと、
を有すること、を特徴とするかご形誘導電動機回転子の製造方法。
【請求項３】
前記ロータバー挿入ステップの前に、前記ロータバーの両端の前記スリットの最も奥の位置にスリットの進展を止める進展止めを形成する進展止め形成ステップをさらに有すること、を特徴とする請求項２に記載のかご形誘導電動機回転子の製造方法。
【発明の詳細な説明】
【技術分野】
【０００１】
この発明は、鉄心とロータバーとを備えたかご形誘導電動機の回転子、およびその製造方法に関する。
【背景技術】
【０００２】
かご形誘導電動機は、巻線形誘導電動機や直流電動機と比べて構造が簡単で堅牢であるが、他の形式の電動機にはない始動時のラッシュ電流（定格電流の３〜８倍の電流）が発生する。この事象はロータバーに熱応力や電磁力を与え、最悪の場合は、疲労してき裂発生あるいは折損するという事象に進展する。
【０００３】
この不適合事象を防止するために、ロータバーをロータ鉄心のスロット（溝）に固く固定する必要がある。
【０００４】
従来、ロータバーをロータ鉄心のスロットに固く固定する方法として、ロータバーを外周方向からたたいてスウェージングを施し、ロータバーを周方向に広げることによりスロットに固着させ長手方向（軸方向）に動かないように固定している。また、スウェージングを施す長さに関しては、各鉄心長において、回転子のロータバーに発生する共振応力を極力小さくし、ロータバーの折損を防止することができるスウェージング長さとする必要がある（特許文献１参照）。
【先行技術文献】
【特許文献】
【０００５】
【特許文献１】特開平１１−１８３４４号公報
【発明の概要】
【発明が解決しようとする課題】
【０００６】
従来のロータバーのかしめ方法では、以上のようなスウェージング長さにする必要があり、鉄心長が長ければ長いほどスウェージング長さが長くなり、スウェージング作業に多くの時間を要している。
【０００７】
この発明は、上記課題を解決するためになされたものであり、かご形誘導電動機の回転子のロータバーをロータ鉄心のスロットに固く固定するための作業時間を短くすることを目的とする。
【課題を解決するための手段】
【０００８】
上記目的を達成するために、本発明に係るかご形誘導電動機の回転子は、回転軸と、前記回転軸の軸方向に垂直に広がっていて外周に互いに周方向の間隔をあけて複数のスロットが形成された複数の鋼板を軸方向に積層して、当該複数の鋼板の前記複数のスロットそれぞれが軸方向に並ぶように、前記回転軸に装着した鉄心と、前記複数のスロットそれぞれに挿入されて軸方向に延びる複数のロータバーと、を備えたかご形誘導電動機の回転子であって、前記複数のロータバーそれぞれの軸方向の両端は軸方向に垂直な方向に分割されて広げられることにより前記スロットの軸方向端部に押し付けられて当該スロットに固着されていること、を特徴とする。
【０００９】
また、本発明に係るかご形誘導電動機回転子の製造方法は、回転軸と、前記回転軸の軸方向に垂直に広がっていて外周に互いに周方向の間隔をあけて複数のスロットが形成された複数の鋼板を軸方向に積層して、当該複数の鋼板の前記複数のスロットそれぞれが軸方向に並ぶように、前記回転軸に装着した鉄心と、前記複数のスロットそれぞれに挿入されて軸方向に延びる複数のロータバーと、を備えたかご形誘導電動機の回転子の製造方法であって、前記複数のロータバーそれぞれの軸方向の両端にスリットを形成するスリット形成ステップと、前記スリット形成ステップの後に、前記スロットそれぞれに前記複数のロータバーを挿入するロータバー挿入ステップと、前記ロータバー挿入ステップの後に、前記スリットを広げることにより前記ロータバーを前記スロットの軸方向端部に押し付けて前記ロータバーを前記スロットに固着させる固着ステップと、を有すること、を特徴とする。
【発明の効果】
【００１０】
この発明によれば、かご形誘導電動機の回転子のロータバーをロータ鉄心のスロットに固く固定するための作業時間を短くすることができる。
【図面の簡単な説明】
【００１１】
【図１】本発明に係るかご形誘導電動機の回転子の製造過程で、ロータバーを鉄心のスロット内に挿入した直後の状態を示し、回転子を外周側から見たときの最も手前側の部分を示す部分正面図であって、図２のＩ方向矢視図である。
【図２】図１のかご形誘導電動機の回転子の外周付近の部分側面図であって、図１のII方向矢視図である。
【図３】本発明に係るかご形誘導電動機の回転子の製造方法の手順を示すフロー図である。
【発明を実施するための形態】
【００１２】
以下に、図面を参照しながら本発明の実施形態について説明する。図１は、本発明に係るかご形誘導電動機の回転子の製造過程で、ロータバーを鉄心のスロット内に挿入した直後の状態を示し、回転子を外周側から見たときの最も手前側の部分を示す部分正面図であって、図２のＩ方向矢視図である。図２は、図１のかご形誘導電動機の回転子の外周付近の部分側面図であって、図１のII方向矢視図である。図３は、本発明に係るかご形誘導電動機の回転子の製造方法の手順を示すフロー図である。
【００１３】
この実施形態の回転子１０は、回転軸１１に固定され、鉄心１２とロータバー２０とを備えている。鉄心１２は、複数枚の円板状の鋼板を軸方向に積層したものである。各円板は軸方向に垂直に広がり、中央に回転軸１１が貫通する孔が形成されている。鉄心１２は回転軸１１に固定されている。
【００１４】
鉄心１２の外周に沿って軸方向に延びる複数のスロット（溝）１３が周方向に互いに間隔をあけて形成されている。各スロット１３は、外周に面した幅のせまい開口部１４が形成されその奥の幅広部１５よりも幅が狭くなっている。
【００１５】
このスロット１３内にロータバー２０を挿入して固定する手順を説明する。
【００１６】
ロータバー２０を鉄心１２に挿入する前に、ロータバー２０の両端部には、スリット１６を形成し、さらにスリット１６の最奥部に進展止め１７を形成しておく（ステップＳ１）。進展止め１７は、たとえば、スリット１６の面に沿って貫通する円形の貫通孔である。
【００１７】
つぎに、スロット１３の幅広部１５内に、軸方向に延びる棒状のロータバー２０を軸方向に挿入する（ステップＳ２）。図１および図２はこのステップの終了時の状況を示している。このとき、ロータバー２０の両端は鉄心１２の軸方向の両端部から突出している。また、このとき、ロータバー２０に形成された二つの進展止め１７は、ともに、鉄心１２の軸方向端部より内側にある。
【００１８】
つぎに、ロータバー２０の両端のスリット１６を広げる（ステップＳ３）。たとえば、図示しない楔をスリット１６に打ち込むことによりスリット１６を広げることができる。このとき、進展止め１７があることにより、スリット１６がさらに奥まで進展してロータバー２０が破壊するのを防ぐことができる。このようにスリット１６を開くことにより、ロータバー２０はスロット１３の軸端部に押し付けられて固定される。このとき、スロット１３の外周に面して幅のせまい開口部１４が形成されていることにより、ロータバー２０が外周方向に動いてスロット１３から外れることはない。
【００１９】
この実施形態によれば、ロータバー２０にスウェージングを施す場合に比べて短時間の簡単な作業により、ロータバー２０をスロット１３内に固定することができる。
【００２０】
以上、本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると同様に、特許請求の範囲に記載された発明とその均等の範囲に含まれるものである。
【符号の説明】
【００２１】
１０・・・回転子
１１・・・回転軸
１２・・・鉄心
１３・・・スロット（溝）
１４・・・開口部
１５・・・幅広部
１６・・・スリット
１７・・・進展止め
２０・・・ロータバー
【図１】
2014128069.tif 000003
【図２】
2014128069.tif 000004
【図３】
2014128069.tif 000005